(57)【要約】【課題】メタデータがない音声情報にＰＣ等の外部機器を介して容易にメタデータを取得し管理することができる音声再生装置及び音声再生方法を提供する。【解決手段】メタデータを有しない音声情報を記録する記録部と、音声情報を演算し演算処理結果を生成する生成部と、外部装置と通信を行なう通信部と、生成部が生成した演算処理結果を通信部を介して外部装置に供給し、外部装置からメタデータを取得する取得部をもつ音声再生装置。【選択図】      図１
2008140026.tif 000002
【特許請求の範囲】
【請求項１】
メタデータを有しない音声情報を記録する記録部と、
前記音声情報を演算し演算処理結果を生成する生成部と、
外部装置と通信を行なう通信部と、
前記生成部が生成した前記演算処理結果を前記通信部を介して外部装置に供給し、前記外部装置からメタデータを取得する取得部を具備することを特徴とする音声再生装置。
【請求項２】
前記取得部が前記外部装置からメタデータを取得した後、保有しているメタデータの全てを前記通信部を介して前記外部装置に転送することを特徴とする請求項１記載の音声再生装置。
【請求項３】
前記外部装置へ全てのメタデータを送付した後に、前記外部装置からコンテンツの要求があれば、これを前記通信部を介して前記外部装置に転送することを特徴とする請求項１記載の音声再生装置。
【請求項４】
前記外部装置から複数のメタデータの候補を受けると、これを画面表示して、操作信号に応じて一のメタデータを決定し保存することを特徴とする請求項１記載の音声再生装置。
【請求項５】
音声再生装置とこれに接続される情報処理装置によるメタデータ取得システムであって、
メタデータを有しない音声情報を記録する記録部と、前記音声情報を演算し演算処理結果を生成する生成部と、前記情報処理装置と通信を行なう通信部と、前記生成部が生成した前記演算処理結果を前記通信部を介して前記情報処理装置に供給し、前記情報処理装置からメタデータを取得する第１メタデータ取得部とメタデータを管理する第１メタデータ管理部をもつ音声再生装置と、
前記音声再生装置及びサーバと通信を行なう通信部と、前記音声再生装置から前記演算処理結果を受けると、前記演算処理結果を前記通信部を介して前記サーバに供給し、前記サーバから前記演算処理結果に対応したメタデータを取得する第２メタデータ取得部と、このメタデータを前記音声再生装置へ前記通信部を介して供給する第２メタデータ管理部をもつ情報処理装置を具備することを特徴とするメタデータ取得システム。
【請求項６】
前記音声再生装置の前記第１メタデータ管理部は、前記情報処理装置から前記メタデータを取得すると、他の全てのメタデータを前記情報処理装置に供給し、
前記情報処理装置の第２メタデータ管理部は、前記全てのメタデータと保有しているメタデータを比較し、不足のメタデータがあれば、このメタデータに応じたコンテンツを前記音声再生装置に要求し、
前記音声再生装置の前記第１メタデータ管理部は、前記第２メタデータ管理部からの不足のメタデータのコンテンツの要求に応じて、このコンテンツを前記情報処理装置に転送することを特徴とする請求項５記載のメタデータ取得システム。
【請求項７】
前記情報処理装置の前記第２メタデータ取得部は、前記サーバからメタデータが得られない場合は、第２のサーバにアクセスしてメタデータを取得することを特徴とする請求項５記載のメタデータ取得システム。
【請求項８】
前記情報処理装置の前記第２メタデータ取得部は、前記サーバから複数のメタデータの候補を受け取ると、これを前記音声再生装置に送信し、
前記音声再生装置の前記第１メタデータ取得部は、この複数のメタデータの候補を画面表示して操作信号に応じて、一のメタデータを決定することを特徴とする請求項５記載のメタデータ取得システム。
【請求項９】
情報処理装置を用いた音声再生装置のメタデータ取得方法であって、
前記音声再生装置において、メタデータを有しない音声情報を格納し、
この音声情報を演算し演算処理結果を生成し、
前記演算処理結果を通信回線を介して前記情報処理装置に供給し、
前記情報処理装置において、前記演算処理結果を通信回線を介して外部のサーバに供給し、前記サーバから前記演算処理結果に対応したメタデータを取得し、
前記メタデータを通信回線を介して前記音声再生装置へ供給することを特徴とするメタデータ取得方法。
【発明の詳細な説明】
【技術分野】
【０００１】
この発明は、音声情報のメタデータを取得する音声再生装置、音声再生装置のメタデータ取得システム、及び音声再生装置のメタデータ取得方法に関する。
【背景技術】
【０００２】
最近、音楽等の音声信号をデジタル情報に変換して、デジタル機器の中で記録し再生する機器が非常に普及してきている。このような音声再生装置において、各音声情報は、曲名、アーティスト名、アルバム名等のメタデータにより管理されることで、手軽に膨大な音声情報を手元で管理することが可能となっている。
【０００３】
特許文献１は、メタデータを音声情報の管理情報として使用するシステムが開示されている。このメタデータはポータブル機器とサーバ間で共有されて、音声情報の管理情報として利用することができる。
【特許文献１】特開２００４−２３４１５８公報
【発明の開示】
【発明が解決しようとする課題】
【０００４】
しかし、特許文献１の従来技術では、メタデータにより複数の音声情報を複数の機器の間で管理してはいるが、このようなメタデータを入手できなかった音声情報に対して、どのようにメタデータを取得して管理していくかが判らないという問題がある。
【０００５】
本発明は、メタデータがない音声情報にＰＣ等の外部機器を介して容易にメタデータを取得し管理することができる音声再生装置及び音声再生方法を提供することを目的とする。
【課題を解決するための手段】
【０００６】
課題を解決する一実施形態は、
メタデータを有しない音声情報を記録する記録部（１４）と、
前記音声情報を演算し演算処理結果を生成する生成部（１７）と、
外部装置と通信を行なう通信部（１１）と、
前記生成部が生成した前記演算処理結果を前記通信部を介して外部装置（Ｐ）に供給し、前記外部装置からメタデータを取得する取得部（１８−２）
を具備することを特徴とする音声再生装置である。
【発明の効果】
【０００７】
カセットテープ等から録音したアナログ音声信号等、そのままではメタデータがない音声信号に、容易にメタデータを取得してこれにより管理することができる。
【発明を実施するための最良の形態】
【０００８】
以下、この発明の実施の形態について図面を参照して詳細に説明する。
【０００９】
＜本発明の一実施形態に係る音声再生装置及び情報処理装置＞
本発明の一実施形態に係る音声再生装置及び情報処理装置を以下に図面を用いて詳細に説明する。図１は、本発明の一実施形態に係る音声再生装置とＰＣの接続の一例を示す説明図である。図２は、本発明の一実施形態に係る音声システムのネットワーク上のサイトとＰＣと音声再生装置の構成の一例を示すブロック図である。
【００１０】
（情報処理装置）
本発明の一実施形態に係る情報処理装置Ｐ及びこれに接続される音声再生装置１０は、図１及び図２に示されるように、例えばＵＳＢケーブル１０１で接続されている。
【００１１】
情報処理装置Ｐは、Ｉ／Ｆ部１と、全体を制御する制御部６と、これに含まれるメタデータ取得部６−２及びメタデータ管理部６−３と、キーボード等の操作部５と、データベース部４を含むＨＤＤ（Hard Disk Driver）等の記録部２と、液晶表示部等のディスプレイ３等を有している。また、Ｉ／Ｆ部１を介してインターネットを経由して、例えば後述するように音声情報のフィンガプリントに基づいて、音声情報のメタデータ（タイトル名、アーティスト名、アルバム名等）を検出できるサイトのサーバＳと通信を行なうことができる。
【００１２】
（音声再生装置）
更に、本発明の一実施形態に係る音声再生装置１０は、図１及び図２に示されるように、
Ｉ／Ｆ部１１と、フラットケーブル等で各部に接続され全体の動作を制御する制御部１８と、制御部１８に含まれるメタデータ取得部１８−２及びメタデータ管理部１８−３と、音声情報等を記録するＨＤＤ（Hard Disc Driver）１２を有している。更に、音声再生装置１０は、操作キー等の操作部１３と、メタデータの管理情報等を格納するメモリ１４と、音声情報のエンコード処理を行なうエンコーダ１５と、エンコードした音声情報をデコードするデコーダ１６と、音声情報を演算処理した演算処理結果であるフィンガプリントを生成するフィンガプリント部１７と、音声情報を出力できる状態に処理するオーディオ部１９と、操作情報や管理情報を表示する表示部２０を有している。
【００１３】
なお、フィンガプリント部１７のフィンガプリントとは、音声情報を演算処理した演算処理結果の一例であって、音声情報をハッシュ関数で求めたハッシュ値である。
【００１４】
また、例えば、カセットテープレコーダＴ等からアナログ音声信号をＩ／Ｆ部１１を介して取り入れ、これをデジタルの音声信号としてエンコーダ部１５でエンコードして、ＨＤＤ１２等に記録する。また、操作部１３の操作に応じて、この音声情報を再生し、再生信号としてオーディオ部１９から出力することができる。
【００１５】
（メタデータ取得処理・管理処理）
次に、上述した構成の音声再生装置１０及び情報処理装置Ｐによるメタデータ取得処理及び管理処理を図３及び図４のフローチャートを用いて詳細に説明する。図３は、本発明の一実施形態である音声再生装置のメタデータ取得処理の一例を示すフローチャート、図４は、同じく、メタデータの候補を選択する画面を伴うメタデータ取得処理の一例を示すフローチャートである。
【００１６】
なお、以下の図３及び図４のフローチャートの各ステップは、回路ブロックに置き換えることができ、従って、各フローチャートのステップは、全てブロックに定義しなおすことが可能である。
【００１７】
本発明の一実施形態である音声再生装置１０及び情報処理装置Ｐにおいて、初めに、音声再生装置１０は、例えばカセットテーブレコーダＴ等からアナログ音声信号を受け、デジタル変換してＨＤＤ１２等に記録する（ステップＳ１１）。特にこのようなアナログ音声を取り入れて記録したデジタル音声信号には、メタデータが付随していない。
【００１８】
そこで、制御部１８のメタデータ取得部１８−２等の制御において、フィンガプリント部１７により、このデジタル音声信号のフィンガプリントを生成する（ステップＳ１２）。その後、メタデータ取得部１８−２等の制御において、メタデータを取得するべく、Ｉ／Ｆ部１１を介して、情報処理装置Ｐにフィンガプリント（データ）を送信する（ステップＳ１３）。
【００１９】
情報処理装置Ｐでは、Ｉ／Ｆ部１を介してこのフィンガプリントを受信して記録部２のデータベース部４に格納する（ステップＳ１４）。そして、制御部６のメタデータ取得部６−２の制御により、Ｉ／Ｆ部１を介して、インターネット等を経由し、フィンガプリントから曲のメタデータ（タイトル名，アーティスト名，アルバム名等）を提供するサーバＳにアクセスしてフィンガプリントを送付する（ステップＳ１５）。
【００２０】
このサーバＳでは、受信したフィンガプリントに基づき、図示しないデータベースから該当するメタデータを検索する（ステップＳ１６）。そして、該当するメタデータが存在すれば、これをインターネット等を経由して、情報処理装置Ｐに供給する（ステップＳ１７）。
【００２１】
次に、情報処理装置Ｐにおいて、メタデータ管理部６−３は、メタデータを受けて記憶部２のデータベース部４等に格納する（ステップＳ１８）。そして、メタデータ管理部６−３は、このメタデータをＩ／Ｆ部１及びＩ／Ｆ部１１を介して音声再生装置１０に送信する（ステップＳ１９）。
【００２２】
音声再生装置１０では、メタデータ取得部１８−２により、このメタデータを受信してメモリ１４のデータベース部に格納する（ステップＳ２０）。そして、メタデータ管理部１８−３は、データベース部に格納している全てのメタデータをＩ／Ｆ部１１を介して情報処理装置Ｐに送信する（ステップＳ２１）。
【００２３】
情報処理装置Ｐでは、メタデータ管理部１８−３は、音声再生装置１０の全てのメタデータを受信し、データベース部４に格納している自身のメタデータと比較する（ステップＳ２２）。そして、メタデータ管理部１８−３がメタデータの不一致を検出すると（ステップＳ２３）、不一致のメタデータに対応したコンテンツを、音声再生装置１０に要求する（ステップＳ２４）。
【００２４】
音声再生装置１０は、要求されたコンテンツがライセンス上の問題がないかを確認する（ステップＳ２５）。問題がなければ、要求されたコンテンツを、Ｉ／Ｆ部１１，１を介して情報処理装置Ｐに送信する（ステップＳ２６）。情報処理装置Ｐでは、受信したコンテンツ（音声情報等）をデータベース部４に格納する（ステップＳ２７）。これにより、音声再生装置１０と情報処理装置Ｐとの間でコンテンツ情報の同期を取ることが可能となる。
【００２５】
・メタデータの候補が複数ある場合、メタデータがない場合の処理
次に、メタデータの候補が複数ある場合、また、メタデータがない場合の処理について、図４のフローチャートを用いて説明する。図３と同等の工程は、同一のステップで表されておりここでは説明を省略する。
【００２６】
すなわち、サーバＳが、ステップＳ１６でフィンガプリントに基づき、図示しないデータベースからメタデータを検索した結果、メタデータがみつからない場合はその旨を、情報処理装置Ｐに通知する（ステップＳ３１）。これに対して、情報処理装置Ｐは、他のアドレスの同様の機能をもったサイトのサーバＳにアクセスして、同様の手順でメタデータを取得することを試みる（ステップＳ３２）。
【００２７】
また、ステップＳ３１において、サーバＳがフィンガプリントに基づき、図示しないデータベースからメタデータを検索した結果、複数のメタデータ候補がみつかった場合は、これらの候補のメタデータの全て（または一部）を情報処理装置Ｐに送信する（ステップＳ３１）。情報処理装置Ｐにおいては、これらのメタデータ候補を音声再生装置１０に送信する（ステップＳ３３）。
【００２８】
音声再生装置１０においては、図５が示す表示画面２０のように、複数のメタデータ候補を画面表示する（ステップＳ３４）。これに対してユーザは、最適なものを、例えば“１”として操作部１３を操作して特定し、この操作信号に応じて、メタデータ取得部１８−２は、コンテンツに応じたメタデータを決定する（ステップＳ３５）。この際に、この決定したメタデータをメモリ１４のデータベース部に格納し、同時に、情報処理装置ＰへＩ／Ｆ部１，１１を介して送信する（ステップＳ３５）。
【００２９】
情報処理装置Ｐでは、メタデータ管理部６−３が、送信されてきた決定されたメタデータをデータベース部４等に格納する（ステップＳ３６）。
【００３０】
これにより、メタデータがサイトで見つからなかった場合や、メタデータの候補が複数あった場合でも、最適なメタデータの取得及び管理を行なうことができる。
【００３１】
なお、図４のこれ以降の処理は、図３の場合と同様にメタデータに基づき、コンテンツの同期処理を行なうものである。
【００３２】
このように、本発明の一実施形態に係る音声再生装置及び情報処理装置においては、録音した時点ではメタデータは取り込めないが、情報処理装置と接続した時点で、一括してサーバＳにアクセスしてメタデータを取得する。従って、昔のカセットテープレコーダ等に録音されていたメタデータが一切ないアナログの音楽情報であっても、フィンガプリント情報とパソコン等を用いて適切なメタデータを取得し、取得したメタデータを利用してアナログ音声から録音したデジタル音声情報を管理することが可能となる。
【００３３】
なお、上述した音声再生装置１０は、音声情報だけについて説明したが、この装置が併せて静止画情報や動画情報、その他のデジタル情報を同時に扱うものであることも好適であり、同様の趣旨で本発明を適用させることができる。
【００３４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３５】
【図１】本発明の一実施形態に係る音声再生装置とＰＣの接続の一例を示す説明図。
【図２】本発明の一実施形態に係る音声システムのネットワーク上のサイトとＰＣと音声再生装置の構成の一例を示すブロック図。
【図３】本発明の一実施形態である音声再生装置のメタデータ取得処理の一例を示すフローチャート。
【図４】本発明の一実施形態である音声再生装置のメタデータ取得処理の他の一例を示すフローチャート。
【図５】本発明の一実施形態である音声再生装置においてメタデータ候補を選択する選択画面の一例を示す説明図。
【符号の説明】
【００３６】
Ｐ…パーソナルコンピュータ、３…ディスプレイ、１０…音声再生装置、２０…表示部、１０１…ＵＳＢケーブル、Ｓ…サイト、１…Ｉ／Ｆ部、２…記録部、３…表示部、４…データベース部、５…操作部、６…制御部、１０…音声再生装置、１１…Ｉ／Ｆ部、１２…ＨＤＤ（Hard Disc Driver）、１３…操作部、１４…メモリ、１５…エンコーダ、１６…デコーダ、１７…フィンガプリント部、１８…制御部、１９…オーディオ部、２０…表示部、Ｔ…カセットテープレコーダ。
【図１】
2008140026.tif 000003
【図２】
2008140026.tif 000004
【図３】
2008140026.tif 000005
【図４】
2008140026.tif 000006
【図５】
2008140026.tif 000007